(57)【要約】【課題】  乳児、幼児等人が水薬等液体状のものを飲もうとしないときでも、一人で容易に水薬等を飲ませることができるスポイトを提供する。【解決手段】  形状復元性を有する部材により作成された中空柱状のスポイト筒と、スポイト筒の内部空間と外部とを連通するようにスポイト筒の内部の底部近傍位置から上方部位を通り外方へ延びるチューブとから構成される。スポイト筒に収納された内容物はスポイト筒の外側面を指で掌の方向へ圧縮及び開放することにより送出される。【選択図】  図１
2006271747.tif 000002
【特許請求の範囲】
【請求項１】
形状復元性を有する部材により作成された中空柱状のスポイト筒と、スポイト筒の内部空間と外部とを連通するようにスポイト筒の内部の底部近傍位置から上方部位を通り外方へ延びるチューブとから構成され、スポイト筒に収納された内容物はスポイト筒の外側面を指で掌の方向へ圧縮及び開放することにより送出される、スポイト。
【請求項２】
形状復元性を有する部材により作成された中空円柱状のスポイト筒と、スポイト筒の内部空間と外部とを連通するようにスポイト筒の底部から外方へ延びるスポイト筒と一体なチューブとから構成され、スポイト筒に収納された内容物はスポイト筒の外側面を指で掌の方向へ圧縮及び開放することにより送出される、スポイト。
【請求項３】
スポイト筒は片手の中指、薬指および小指と掌との間で保持して圧縮及び開放するのに適した外形寸法形状を有する、請求項１または２に記載のスポイト。
【請求項４】
スポイト筒は透明または半透明の部材により形成され、その側面にはスポイト筒内に入っている水薬等の量を計測するためのゲージを備える、請求項１、２または３に記載のスポイト。
【請求項５】
スポイト筒の軸方向両端部位にそれぞれ着脱自在に係合する端部を有する、スポイトを手のひらに装着するためのベルトをさらに備える、請求項１〜４のいずれか一項に記載のスポイト。
【請求項６】
シリコン等の弾性を有する部材により形成され、チューブの外部側の自由端部に着脱自在に連結される保護チューブを有する、請求項１〜５のいずれか一項に記載のスポイト。
【請求項７】
チューブの外部側の自由端部に着脱自在な栓を有する、請求項１〜６のいずれか一項に記載のスポイト。
【請求項８】
スポイト筒の上部に着脱自在な密閉蓋を備えた注入口を有する、請求項１〜７のいずれか一項に記載のスポイト。
【発明の詳細な説明】
【技術分野】
【０００１】
本発明は、乳児や幼児が水薬等の液体状のものを飲もうとしない際に、一人で容易に飲ますことができるスポイトに関するものである。
【背景技術】
【０００２】
乳児や幼児が病気の際、薬の服用を嫌がり、口を閉じてしまい反抗する為に大変な場合がある。このため、
（イ）幼児を仰向けに寝かせ、両手を広げさせ、手と頭を両足で押さえると一方、自分も足を伸ばして座り、足の間で幼児の頭をはさみ、広げた幼児の両腕を自分の両足で抑え、幼児の鼻を塞いで口を開けさせ、スプーン、コップ、スポイト又は注射器を用いて少しずつ流し込む。
（ロ）父親が幼児の手足を押さえ、母親が一方の手で幼児の鼻を塞いで口を開けさせ、口を開けたときに、他方の手で少しずつスプーン、コップ、スポイト又は注射器を使って流し込む。或いは、
（ハ）シロップに混ぜて飲ませる。
等の方法が取られている。
【０００３】
スポイトは、水薬等を投与する場合に片手の親指、人差し指でスポイトを摘むことで投与できる。しかし、スポイトを持った手はこのことにのみしか使えず、一人で水薬等を投与しようとするとき、幼児が口を開かずに拒否されると投与ができなくなるため、未だ自覚のない年齢の子供への水薬等の投与は苦労を強いられているのが実情である。
【特許文献１】特開平０９−２７６３７４号公報
【特許文献２】特開平０８−２９９４１６号公報
【発明の開示】
【発明が解決しようとする課題】
【０００４】
本発明は、乳児や幼児のように未だ自覚のない年齢の子供に対して水薬等を強制的に一人で容易に飲ませることができるスポイトを提供しようとするものである。
【課題を解決するための手段】
【０００５】
本発明によるスポイトは、形状復元性を有する部材により作成された中空柱状のスポイト筒と、スポイト筒の内部空間と外部とを連通するようにスポイト筒の内部の底部近傍位置から上方部位を通り外方へ延びるチューブとから構成される。スポイト筒に収納された内容物はスポイト筒の外側面を指で掌の方向へ圧縮及び開放することにより送出される。  
【０００６】
本発明によるスポイトのチューブはまた、形状復元性を有する部材により作成された中空円柱状のスポイト筒と、スポイト筒の内部空間と外部とを連通するようにスポイト筒の底部から外方へ延びるスポイト筒と一体なチューブとから構成することもできる。スポイト筒に収納された内容物はスポイト筒の外側面を指で掌の方向へ圧縮及び開放することにより送出される。
【０００７】
また、本発明によるスポイトのチューブは、スポイト筒を片手の中指、薬指および小指と掌との間で保持して圧縮及び開放するのに適した外形寸法形状を有するように形成することができ、またさらに、透明または半透明の部材質により形成し、スポイト筒内に入っている水薬等の量を計測するためのゲージをその側面に備えることもできる。
【０００８】
さらに、本発明によるスポイトのチューブは、スポイト筒の軸方向両端部位にそれぞれ着脱自在に係合する端部を有する、スポイトを手のひらに装着するためのベルトをさらに備えることもでき、また、シリコン等の弾性を有する部材により形成された、チューブの外部側の自由端部に着脱自在に連結される保護チューブを有したり、チューブの外部側の自由端部に着脱自在な栓を有したり、或いは、スポイト筒の上部に着脱自在な密閉蓋を備えた注入口を有したりすることもできる。
【発明の効果】
【０００９】
上述の如く構成される本発明のスポイトは、中指、薬指、小指を強く握ることによりスポイト筒内部の空気を抜いた後、チューブ先端を水薬等に入れて手を緩めることにより所要量の水薬等をスポイト筒内に溜めて準備完了となる。次に、一方の手で幼児の動きを抑え、他方の手の中指、薬指、小指でスポイトを保持した状態で親指と人差し指で幼児の鼻を塞いで口を開けさせてチューブを咥えさせ、中指、薬指、小指を強く握ることによりスポイト筒内に収納された水薬等を幼児の口内に投与する。
【００１０】
これにより、本発明のスポイトは、幼児の口を開けさせて水薬等を投与する作業を片手で行うことができるため、幼児への水薬等の投与を一人で簡単に行うことができる。また、スポイト筒が片手に納まる寸法形状を有しているため、手のひらに隠した状態で投与作業を行うことができ、子供にとって安心して母親の指示に従うことになり、無用な不安等を誘発するのを回避できる。さらに、透明または半透明なスポイト筒の側面にゲージを備えていることにより、水薬等を所要量だけ収納させることができ、水薬等の投与を過不足なく行うことができる。
【００１１】
また、ベルトによりスポイトを手に固定することができるため、子供を抑えつけて投与するまでの間にスポイトを取り落としてしまう虞を回避でき、弾性の保護チューブを備えていることにより、子供の口腔内を傷つけることがなく、チューブの外部側の自由端部を栓で封鎖できることにより、汚染物がスポイト内に進入するのを防止すると共に、投与までの間に水薬等が不要に押し出されてしまうのを防止でき、また保存容器としても使用できる。さらに、スポイト筒の上部に密閉蓋を備えた注入口を有することにより、スポイトに簡単に水薬等を充填することかせでき、チューブが密閉蓋を通って外方へ延びていることにより、チューブの向きが思わぬ方向を向いて子供に咥えさせ難くしてしまうのを回避できる。
【発明を実施するための最良の形態】
【００１２】
本発明の実施例によるスポイトは、図１〜４に示すように、中空の柱状形状を有するスポイト筒１と、スポイト筒１から延びるチューブ２とから構成される。スポイト筒１およびチューブ２は、周知のスポイトと同様に、ブロー成形により作成される。
【実施例１】
【００１３】
図１は、本発明の実施例１によるスポイトを示す図である。スポイト筒１は、周知のスポイトに用いられているプラスチック等のような形状復元性を有する部材により作成され、好ましくは、透明または半透明の材料により形成される。スポイト筒１の寸法形状は、実質的に、片手の中指、薬指および小指と掌との間で保持し、そして、スポイト筒１の外側面１１を指で掌の方向へ圧縮及び開放する作業を容易に行うことができるように形成される。スポイト筒１の底部１２は、スポイト筒１内に収納された水薬等Ｌ（図５参照）が最終的に底部１２の一箇所に集まるように、半球状または漏斗状或いはその他の適当な形状に形成される。スポイト筒１の外側面１１には、その内部に内包された水薬等Ｌの量を計測するための目盛り１１１が設けられる。
【００１４】
チューブ２は、スポイト筒１と同様な部材により作成され、スポイト筒１の内部空間と外部とを連通するように設けられる。チューブ２は、そのスポイト筒１内部側の自由端部２１がスポイト筒１の内部の底部１２近傍に位置し、スポイト筒１の上部１３を通り、チューブ２の外部側の自由端部２２が外方へ延びるように設けられる。チューブ２のスポイト筒１に対する伸延方向は、図示のように、スポイト筒１の軸心方向に対して鋭角的に折り返されて側方（放射方向）へ延びることにより、チューブ２を子供の口内に挿入し易くするのが望ましい。この折返し角度は、特に限定するものではないが、７０〜８０度程度に選定するのが好ましい。
【００１５】
スポイト筒１とチューブ２との間は、チューブ２がスポイト筒１を貫通する部位で熱融着等の適当な結合手段により実質的に一体化される。スポイト筒１とチューブ２との間の結合は、図２に示すように、スポイト筒１の上部１３に、チューブ２の外径と同等または僅少小さな内径を有するチューブ状の係合管部１４を設け、係合管部１４内にチューブ２を押入し、チューブ２および／または係合管部１４の弾性変形によって生じる復元力によりチューブ２と係合管部１４とを実質的に一体化するのが好ましい。この係合管部１４を用いることは、熱融着等の結合工程を単に省略できるだけでなく、必要に応じて、スポイト筒１からチューブ２を抜き出すことにより両者の洗浄を容易にかつ確実に行うことができる。
【００１６】
チューブ２の外部側の自由端部２２には、図３に示すような保護チューブ２３、または図４に示すような栓２４が着脱自在に装着される。保護チューブ２３は、シリコン等の弾性を有する部材により形成され、子供の口腔内を傷つけるのを防止する。栓２４は、ゴミや雑菌が本スポイト内に進入するのを防止できるため、水薬等Ｌを入れた状態での保存を可能にする。
【００１７】
上述の如く構成される本発明のスポイトは、片手の中指、薬指、小指を強く握ることによりスポイト筒１の内部の空気を抜いた後、チューブ２の先端を水薬等に入れて手を緩めることにより所要量の水薬等をスポイト筒１内に溜めて準備完了となる。次に、図５に示すように、一方の手で幼児の動きを抑え、他方の手の中指、薬指、小指でスポイトを保持した状態で親指と人差し指で幼児の鼻を塞いで口を開けさせてチューブ２を咥えさせ、中指、薬指、小指でスポイト筒１の外側面１１を押し下げることによりスポイト筒１内に収納された水薬等を幼児の口内に投与する。このとき、スポイト筒１の上部および底部の部分並びにチューブ２は、相対的に大きな剛性を有していることにより変形せず、スポイト筒１とチューブ２との係合関係およびスポイト筒１の底部とチューブ２の内部側の自由端部２１との相対的な位置関係が崩れることはなく、容易にかつ確実に水薬等を投与することができる。
【実施例２】
【００１８】
図６は、本発明の実施例２によるスポイトを示す図である。本実施例におけるスポイトは、着脱自在なベルト３を備えていることを除き、実施例１と同様に形成される。ベルト３はスポイトと同様な部材により形成され、図７に示すように、その一端に、スポイト筒１に結合されたチューブ２（または、係合管部１４）に挿脱自在に連結される係合穴３１を、他端に、スポイト筒１の底部に設けられた係合突起１５に挿脱自在に連結される係合穴３２をそれぞれ備えている。係合穴３１および／または係合穴３２（図示の場合、係合穴３２）は、図８に示すように、ベルト３の有効長を調整して手に安定して取り付けることができるように、複数の係合穴を相互に適当に離間して設けるのが好ましい。ベルト３の別の形態としては、図９に示すように、輪ゴム或いはその他の伸縮性部材３Ａを使用することもできる。この場合、スポイト筒１の底部に設けられる係合突起１５は、伸縮性部材３Ａの一端を結合し易くするために、環状係合穴１５１を備えているのが好ましい。
【実施例３】
【００１９】
図１０は、本発明の実施例３によるスポイトを示す図である。本実施例におけるスポイトは、スポイト筒１に対するチューブ２の取付形態が異なることを除き、前記各実施例と同様に構成される。
【００２０】
本実施例におけるチューブ２は、ブロー成形によりスポイト筒１と一体に形成され、スポイト筒１の底部１２、より好ましくは、底部１２の中の水薬等Ｌが最終的に集まる位置から外方へ延びる。外方へ延びたチューブ２は、スポイト筒１の外側面１１に沿って上方へ延びた後、前記実施例と同様に、鋭角的に折り返されて側方へと延びる。この実施例のスポイトにおける利点は、１部品でスポイトを構成できる点であり、より廉価に製造販売することが可能となる。チューブ２は、熱融着等の手段を用いてスポイト筒１の外側面１１に固定してもよいが、水薬等の投与時にスポイト筒１の外側面１１を押す際にチューブ２の剛性が邪魔をするのを回避するために、単に沿わした形態で設けるのが望ましい。より望ましくは、このチューブ２の剛性をより積極的に回避するために、チューブ２は、図１１に示すように、チューブ２とスポイト筒１の外側面１１の間に指を通すことができる程度に離間される。
【実施例４】
【００２１】
図１２および１３は、本発明の実施例４によるスポイトを示す図である。本実施例におけるスポイトは、前述の各実施例におけるスポイトがスポイト筒１の外側面１１に対する指での押下げ−開放を繰り返すことによりチューブ２の外部側の自由端部２２からスポイト筒１内へ水薬等を入れるのに対し、スポイト筒１内へ水薬等を直接入れることができる点で異なる以外、その他の構成は前記各実施例と同様に構成される。スポイト筒１内へ水薬等を直接入れるために、本実施例のスポイトは、スポイト筒１の上部に着脱自在な密閉蓋１６が設けられた注入口（図示なし）を備え、この注入口からスポイト筒１内に水薬等を注入する。
【００２２】
実施例３のスポイト、すなわち、チューブ２がスポイト筒１の底部１２から外方へ延びる形態のスポイトについて注入口および密閉蓋を適用する場合、格別な問題なしに適用できることは容易に理解されよう。一方、実施例１または２のスポイト、すなわち、チューブ２がスポイト筒１の上部１３から外方へ延びる形態のスポイトについて適用する場合、図示していないが、チューブ２が密閉蓋１６の上面１６１を通るように構成しても良いが、図１２に示すように、密閉蓋１６の側面１６２から外部へ延びるように構成することにより、スポイト筒１に対するチューブ２の向きを固定することができ、それにより、より容易に水薬等を投与することができる。また、図１３に示すように、スポイト筒１の上部の密閉蓋１６に近接した位置からチューブ２が外部へ延びるように構成することにより、密閉蓋１６の着脱をチューブ２と無関係に行うことができるため、密閉蓋１６を外したときにチューブ２が汚されたり、チューブ２内に残された水薬等が回りを汚したりするのを回避できる。
【産業上の利用可能性】
【００２３】
本発明のスポイトは乳児、幼児等人に水薬等液体状ものを片手で飲ませる際に幼児に母親が一人で容易に水薬等を飲ませることを目的としているが、身体の不自由な人の介護、例えば、水薬等の投与や水分の補給等にも利用できる。
【図面の簡単な説明】
【００２４】
【図１】本発明の実施例１によるスポイトを示す図である。
【図２】図１に示すスポイトの変形例を示す図である。
【図３】図１に示すスポイトの別の変形例を示す図である。
【図４】図１に示すスポイトのまた別の変形例を示す図である。
【図５】図１に示すスポイトの使用方法を説明するための図である。
【図６】本発明の実施例２によるスポイトを示す図である。
【図７】図６に示すスポイトのベルトを示す図である。
【図８】図６に示すスポイトを手で保持した状態を示す図である。
【図９】図６に示すベルトの変形例を示す図である。
【図１０】本発明の実施例３によるスポイトを示す図である。
【図１１】図９に示すスポイトの変形例を示す図である。
【図１２】本発明の実施例４によるスポイトを示す図である。
【図１３】図１１に示すスポイトの変形例を示す図である。
【符号の説明】
【００２５】
１    スポイト筒
１１    外側面
１１１    目盛り
１２    底部
１３    上部
１４    係合管部
１５    係合突起
１５１    環状係合穴
１６    密閉蓋
１６１    （密閉蓋の）上面
１６２    （密閉蓋の）側面
２    チューブ
２１    （内部側の）自由端部
２２    （外部側の）自由端部
２３    保護チューブ
２４    栓
３    ベルト
３Ａ    伸縮性部材
３１，３２    係合穴
Ｌ    水薬等
【図１】
2006271747.tif 000003
【図２】
2006271747.tif 000004
【図３】
2006271747.tif 000005
【図４】
2006271747.tif 000006
【図５】
2006271747.tif 000007
【図６】
2006271747.tif 000008
【図７】
2006271747.tif 000009
【図８】
2006271747.tif 000010
【図９】
2006271747.tif 000011
【図１０】
2006271747.tif 000012
【図１１】
2006271747.tif 000013
【図１２】
2006271747.tif 000014
【図１３】
2006271747.tif 000015